(57)【要約】【課題】電子機器の弾性アームの過大変形や破損を防止できる電子機器の取付構造を提供する。【解決手段】電子機器の取付構造１Ａは、サーミスタ温度計２をプレート５のサーミスタ取付部５３Ａに取り付ける構造である。サーミスタ取付部５３Ａは、プレート５を貫通した孔５４と、孔５４の縁から立設した立設壁５５ａ、５５ｃ、５５ｄと、立設壁５５ｃ、５５ｄからサーミスタ取付部５３Ａの内側に向かって突出した突部５７とを備えている。突部５７のサーミスタ取付部５３Ａの奥側の表面５７ｂのうち弾性アーム２１と係合する部分には、傾斜面５９が設けられている。傾斜面５９は、サーミスタ取付部５３Ａの内側にいくにしたがって徐々にサーミスタ取付部５３Ａの奥側に近づくように傾斜している。【選択図】図６
2011018454.tif 000002
【特許請求の範囲】
【請求項１】
電子機器をプレートの取付部に取り付ける電子機器の取付構造において、
前記取付部が、前記プレートを貫通した孔と、前記孔の縁から立設した立設壁と、前記立設壁から前記取付部の内側に向かって突出した突部と、を備え、
前記電子機器が、機器本体と、一端部が前記機器本体に連なりかつ他端部が前記突部の前記取付部の奥側の表面と係合し、弾性変形することで前記機器本体を前記取付部の奥側に向かって付勢する弾性アームと、を備えるとともに、
前記突部の前記表面の前記弾性アームと係合する部分に、前記取付部の内側にいくにしたがって徐々に前記取付部の奥側に近づくように傾斜した傾斜面が設けられたことを特徴とする電子機器の取付構造。
【請求項２】
前記傾斜面の前記取付部の外側寄りの縁に連なり、かつ前記電子機器の取付方向に対して直交する方向に沿って平坦に形成された平坦面が設けられたことを特徴とする請求項１に記載の電子機器の取付構造。
【発明の詳細な説明】
【技術分野】
【０００１】
本発明は、例えば、サーミスタ温度計等の電子機器を、電気自動車やハイブリッドカー等に搭載される電源装置等のプレートの取付部に取り付ける電子機器の取付構造に関する。
【背景技術】
【０００２】
電気自動車や、内燃機関と電動機との双方の駆動力で走行可能なハイブリッドカー等には、円滑な走行を実現するために、高電圧かつ高出力な電源が必要とされている。このような電源を確保するために、前記電気自動車やハイブリッドカー等には、比較的小型な電池を複数直列に接続して構成される電源装置（例えば、特許文献１参照）が搭載されている。
【０００３】
特許文献１に記載された電源装置は、複数の電池からなる電池集合体と、電池集合体に取り付けられるプレートと、プレートに取り付けられるバスバとを備えている。プレートは、矩形板状に形成され、電池集合体の表面に重ねられる。バスバは、プレートが電池集合体に取り付けられると、電池集合体の互いに隣り合う電池の正極と負極とを電気的に接続して、電池集合体を構成する複数の電池を直列に接続する。
【０００４】
さらに、前述した電源装置のプレート１０５には、図８に示すように、電池１４１の温度を検出するサーミスタ温度計１０２が取り付けられることがある。プレート１０５は、サーミスタ温度計１０２が取り付けられる取付部１５３を備えている。
【０００５】
取付部１５３は、プレートを貫通した孔１５４と、孔１５４の縁から立設した立設壁１５５と、立設壁１５５から取付部１５３の内側に向かって突出した突部１５７とを備えている。突部１５７の取付部１５３の奥側の表面１５７ｂは、サーミスタ温度計１０２の取付方向Ｘ（矢印Ｘで示す）に対して直交する方向に平坦に形成されている。
【０００６】
サーミスタ温度計１０２は、サーミスタを収容したサーミスタ本体１２０と、一端部がサーミスタ本体１２０に連なりかつ他端部がプレート１０５の突部１５７の前記表面１５７ｂに係合する弾性アーム１２１とを備えている。サーミスタ温度計１０２は、例えば、予め電池集合体に取り付けられたプレート１０５に取り付けられる。
【０００７】
プレート１０５に取り付けられたサーミスタ温度計１０２は、サーミスタ本体１２０の先端面１２０ａが電池１４１の電池本体１４２の上面１４２ａよりも電池本体１４２の内側（取付部１５３の奥側）に配されるようになっている（図８中、点線で示す）。このため、サーミスタ温度計１０２は、予め電池集合体に取り付けられたプレート１０５に取り付けられると、先端面１２０ａが電池本体１４２の上面１４２ａに押し付けられ、サーミスタ本体１２０はプレート１０５に向かって押し戻される（図８中、実線で示す）。
【０００８】
すると、弾性アーム１２１の他端部は、突部１５７の前記表面１５７ｂ上を矢印Ｍ３方向に摺動する。そして、弾性アーム１２１は、弾性変形することでサーミスタ本体１２０を電池１４１に向かって（取付部１５３の奥側に向かって）付勢する。こうして、サーミスタ温度計１０２は、サーミスタ本体１２０の先端面１２０ａが電池本体１４２の上面１４２ａに常時接触した状態となり、電池１４１の温度に応じた情報を常時検出可能となる。
【先行技術文献】
【特許文献】
【０００９】
【特許文献１】特開２００８−１９８５２５号公報
【発明の概要】
【発明が解決しようとする課題】
【００１０】
しかしながら、突部１５７の前記表面１５７ｂは、サーミスタ温度計１０２の取付方向Ｘに対して直交する方向に平坦に形成されている。このため、サーミスタ温度計１０２を電池１４１に確実に押し付けるためにサーミスタ本体１２０が押し戻される距離を長くする、即ち、サーミスタ温度計１０２と電池１４１の接続代を大きくする、と、弾性アーム１２１が過大変形して弾性アーム１２１に大きな応力が作用し、弾性アーム１２１が破損してしまう虞があった。
【００１１】
本発明は、このような問題を解決することを目的としている。即ち、本発明は、電子機器の弾性アームの過大変形や破損を防止できる電子機器の取付構造を提供することを目的としている。
【課題を解決するための手段】
【００１２】
前記課題を解決し目的を達成するために、請求項１に記載された発明は、電子機器をプレートの取付部に取り付ける電子機器の取付構造において、前記取付部が、前記プレートを貫通した孔と、前記孔の縁から立設した立設壁と、前記立設壁から前記取付部の内側に向かって突出した突部と、を備え、前記電子機器が、機器本体と、一端部が前記機器本体に連なりかつ他端部が前記突部の前記取付部の奥側の表面と係合し、弾性変形することで前記機器本体を前記取付部の奥側に向かって付勢する弾性アームと、を備えるとともに、前記突部の前記表面の前記弾性アームと係合する部分に、前記取付部の内側にいくにしたがって徐々に前記取付部の奥側に近づくように傾斜した傾斜面が設けられたことを特徴とした電子機器の取付構造である。
【００１３】
請求項２に記載された発明は、請求項１に記載された電子機器の取付構造において、前記傾斜面の前記取付部の外側寄りの縁に連なり、かつ前記電子機器の取付方向に対して直交する方向に沿って平坦に形成された平坦面が設けられたことを特徴とした電子機器の取付構造である。
【発明の効果】
【００１４】
請求項１に記載された発明によれば、弾性アームの他端部は、機器本体を取付部の奥側に向かって付勢する際に突部の傾斜面上を摺動して、取付部の内側から外側に向かって、かつ、取付部の奥側から入口側に向かって移動するので、より取付部の入口側に位置付けられる。このため、弾性アームの変形度合いが緩和される。したがって、弾性アームの過大変形を防止でき、弾性アームに作用する応力が小さくなって弾性アームの破損を防止できる。
【００１５】
請求項２に記載された発明によれば、突部の傾斜面上を摺動した弾性アームの他端部は、平坦面によって取付部の入口側に行き過ぎることがない。したがって、弾性アームの変形が過度に緩和されることがなく、機器本体を確実に付勢できる。
【図面の簡単な説明】
【００１６】
【図１】本発明の第１の実施形態にかかる電子機器の取付構造が用いられる電源装置を示す分解斜視図である。
【図２】図１に示されたプレートにサーミスタ温度計が取り付けられた状態を示す斜視図である。
【図３】図２中のＡ部分を拡大して示す斜視図である。
【図４】図３に示されたサーミスタ温度計がプレートに取り付けられる前の状態を示す図３中のＩＶ−ＩＶ線に沿った断面図である。
【図５】図４に示されたサーミスタ温度計がプレートに取り付けられる途中の状態を示す断面図である。
【図６】図５に示されたサーミスタ温度計がプレートに取り付けられた状態を示す断面図である。
【図７】本発明の第２の実施形態にかかる電子機器の取付構造を用いてサーミスタ温度計がプレートに取り付けられた状態を示す断面図である。
【図８】従来の電源装置においてサーミスタ温度計がプレートに取り付けられた状態を示す断面図である。
【発明を実施するための形態】
【００１７】
以下、本発明の第１の実施形態にかかる電子機器の取付構造１Ａを図１ないし図６を参照して説明する。本発明の第１の実施形態にかかる電子機器の取付構造１Ａは、図３及び図６等に示すように、サーミスタ温度計（電子機器に相当する）２を電源装置４のプレート５のサーミスタ取付部（取付部に相当する）５３Ａに取り付ける構造である。
【００１８】
電源装置４は、図１及び図２に示すように、電池集合体４０と、バスバ４７と、プレート５と、サーミスタ温度計２（図２）と、図示しない冷却装置及び制御装置等を備えている。電池集合体４０は、図１に示すように、複数の電池４１と、エンドプレート４５と、固定バンド４６等を備えている。
【００１９】
電池４１は、電池本体４２と、正極４３と、負極４４等を備えている。電池本体４２は、扁平箱状に形成され、内側に図示しない正極板や負極板等を収容している。正極４３と負極４４は、棒状に形成されている。正極４３と負極４４は、電池本体４２の図１中上方に配される上面４２ａ（図４等）から同方向に突出し、かつ互いに平行に設けられている。
【００２０】
複数の電池４１は、各電池本体４２の上面４２ａが同一平面上に配され、かつ互いに隣り合う電池４１同士の正極４３と負極４４とが互いに隣り合うように、矢印Ｈで示す一方向Ｈに沿って並べられている。即ち、複数の電池４１は、正極４３と負極４４が交互に逆向きとなる状態で重ねられて、一方向Ｈに沿って並べられている。
【００２１】
エンドプレート４５は、絶縁性の合成樹脂で構成されている。エンドプレート４５は、帯板状に形成され、一対設けられている。一対のエンドプレート４５は、前述のように一方向Ｈに沿って並べられた複数の電池４１のうち両端の電池４１にそれぞれ重ねられ、互いの間に複数の電池４１を挟む。一対のエンドプレート４５と複数の電池４１は、一方向Ｈに沿って並べられている。
【００２２】
固定バンド４６は、帯板状に形成され、一対設けられている。一対の固定バンド４６は、一方向Ｈに沿って配され、かつ互いに間隔をあけて配されている。固定バンド４６は、中央部が前述のように並べられた複数の電池４１及びエンドプレート４５の図１中上方に配される上面に重ねられ、両端部が互いに同方向に折り曲げられてエンドプレート４５の側面に重ねられている。この固定バンド４６の両端部には、ボルト孔が貫通している。固定バンド４６は、前記両端部が図示しないボルトによってエンドプレート４５に固定されて、複数の電池４１と一対のエンドプレート４５を一体化して保持する。
【００２３】
バスバ４７は、導電性の金属材料で構成されている。バスバ４７は、図２等に示すように、矩形平板状に形成され、複数設けられている。バスバ４７には、正極４３と負極４４とをそれぞれ通す孔が一対設けられている。バスバ４７は、プレート５の平面方向と平行な方向に配された状態で、プレート５の後述するバスバ取付部５２に取り付けられる。なお、図示例においては、バスバ４７上に当該バスバ４７の略半分の大きさの電圧検出端子４８が重ねられている。
【００２４】
前述したバスバ４７は、前述した一対の孔にそれぞれ正極４３と負極４４を通して、互いに隣り合う電池４１同士の互いに隣り合う正極４３と負極４４を接続する。複数のバスバ４７は、一方向Ｈに沿って並べられた複数の電池４１のうち一端に位置する電池４１（図１中、符号４１ａで示す）の正極４３（符号４３ａで示す）と他端に位置する電池４１（符号４１ｂで示す）の負極４４（符号４４ａで示す）とを除いた、隣り合う正極４３と負極４４を互いに接続して、電池集合体４０の複数の電池４１を直列に接続する。
【００２５】
プレート５は、絶縁性の合成樹脂で構成されている。プレート５は、図１に示すように、電池集合体４０の図１中上方に配される上面よりも小さな矩形板状に形成され、電池集合体４０の前記上面に取り付けられる。プレート５には、図２に示すように、電極通し孔（図示せず）と、バスバ取付部５２と、サーミスタ取付部５３Ａとが設けられている。
【００２６】
電極通し孔は、プレート５を貫通して設けられ、複数設けられている。電極通し孔は、平面形状が円形状に形成され、正極４３及び負極４４の外径よりも大きな内径に形成されている。電極通し孔は、前述のように並べられた各電池４１の正極４３と負極４４とを通すことができる位置に設けられている。電極通し孔が正極４３及び負極４４を内側に通して、プレート５が電池集合体４０の上面に取り付けられる。
【００２７】
バスバ取付部５２は、電極通し孔の近傍に設けられている。バスバ取付部５２は、一方向Ｈに沿って並べられた複数の電池４１のうち一端に位置する電池４１ａの正極４３ａと重なる位置と、他端に位置する電池４１ｂの負極４４ａと重なる位置と、を除いた位置に設けられ、複数設けられている。バスバ取付部５２は、プレート５の図２中上方に配される上面から立設した複数の隔壁５２ａによって形成されている。これら複数の隔壁５２ａに囲まれた内部、即ちバスバ取付部５２内には、正極４３を通す一つの電極通し孔と、負極４４を通す一つの電極通し孔とが開口している。
【００２８】
前述したバスバ取付部５２には、プレート５の上面にバスバ４７が重ねられ、かつ隔壁５２ａから突出したロック部とバスバ４７の縁とが互いに係合して、バスバ４７が取り付けられる。バスバ取付部５２にバスバ４７が取り付けられると、電極通し孔とバスバ４７の孔とが互いに連通し、これら連通した電極通し孔とバスバ４７の孔とに正極４３または負極４４が通される。
【００２９】
サーミスタ取付部５３Ａは、温度測定の対象となる電池４１の数に対応して設けられ、図示例では複数設けられている。サーミスタ取付部５３Ａは、図４に示すように、孔５４と、立設壁５５ａ、５５ｂ、５５ｃ、５５ｄ（図３）と、支持柱５６と、突部５７とを備えている。
【００３０】
孔５４は、プレート５を貫通して設けられ、平面形状が矩形状に形成されている。孔５４は、温度測定の対象となる電池４１の電池本体４２の上面４２ａを外部に露出させる位置に設けられている。孔５４は、サーミスタ温度計２を通すことができる大きさに形成されている。
【００３１】
立設壁５５ａ、５５ｂ、５５ｃ、５５ｄは、プレート５の上面から立設している。立設壁５５ａ、５５ｂは、孔５４の四つの縁のうち互いに相対する二つの縁から立設している。立設壁５５ａ、５５ｂは、互いに間隔をあけて相対し、かつ互いに平行に設けられている。立設壁５５ｃ、５５ｄは、孔５４の四つの縁のうち前述した二つの縁を除いた残りの二つの縁から立設している。立設壁５５ｃ、５５ｄは、それぞれ、立設壁５５ａ、５５ｂの端部同士を互いに連結している。立設壁５５ｃ、５５ｄは、互いに間隔をあけて相対し、かつ互いに平行に設けられている。
【００３２】
支持柱５６は、立設壁５５ａ、５５ｂの互いに相対する内面同士を連結し、一対設けられている。一対の支持柱５６は、プレート５の平面方向に沿って並んで設けられ、互いに間隔をあけて相対し、かつ互いに平行に設けられている。一対の支持柱５６は、互いの間にサーミスタ温度計２の後述するサーミスタ本体２０を通しかつ弾性アーム２１を通さない間隔をあけて設けられている。
【００３３】
突部５７は、図４に示すように、支持柱５６よりもサーミスタ取付部５３Ａの入口側に設けられ、立設壁５５ｃ、５５ｄの互いに相対する内面それぞれからサーミスタ取付部５３Ａの内側に向かって突出して、一対設けられている。突部５７は、サーミスタ温度計２がプレート５に取り付けられると、サーミスタ温度計２の後述する弾性アーム２１と係合する。突部５７には、導入面５８と、傾斜面５９とが設けられている。
【００３４】
導入面５８は、突部５７のサーミスタ取付部５３Ａの入口側の表面５７ａに形成され、サーミスタ取付部５３Ａの内側にいくにしたがって徐々にサーミスタ取付部５３Ａの奥側に近づくように傾斜している。傾斜面５９は、突部５７のサーミスタ取付部５３Ａの奥側の表面５７ｂ全体に形成され、前記表面５７ｂのサーミスタ温度計２の弾性アーム２１と係合する部分にも勿論形成されている。傾斜面５９は、サーミスタ取付部５３Ａの内側にいくにしたがって徐々にサーミスタ取付部５３Ａの奥側に近づくように傾斜している。
【００３５】
前述したサーミスタ取付部５３Ａにおいて、入口側とは図４の上側を指し、奥側とは図４の下側を指すものとする。また、サーミスタ取付部５３Ａの内側とは、孔５４の中心側であり、立設壁５５ａ、５５ｂ、５５ｃ、５５ｄから離れた側を指すものとする。前述したサーミスタ取付部５３Ａには、サーミスタ温度計２が入口側から奥側に向かって矢印Ｘ（図４等）に沿って挿入されて、サーミスタ温度計２が取り付けられる。矢印Ｘは、サーミスタ温度計２の取付方向Ｘをなしている。サーミスタ取付部５３Ａとサーミスタ温度計２とは、電子機器の取付構造１Ａを構成している。
【００３６】
サーミスタ温度計２は、図４等に示すように、機器本体としてのサーミスタ本体２０と、弾性アーム２１とを一体に備えている。サーミスタ本体２０の先端面（後述する他端部側の端面）２０ａは、サーミスタ温度計２の取付方向Ｘに直交する方向に沿って平坦に形成されている。サーミスタ本体２０は、内部にサーミスタを収容している。このサーミスタには、ケーブル２５が接続されている。ケーブル２５は、サーミスタ温度計２と制御装置とを接続する。
【００３７】
弾性アーム２１は、サーミスタ本体２０のプレート５から離れた側に配される一端部に連なっている。弾性アーム２１は、互いの間にサーミスタ本体２０の中心を位置付けるように一対設けられている。一対の弾性アーム２１は、それぞれ、主アーム２２と、連結アーム２３と、係止アーム２４とを備えている。
【００３８】
主アーム２２は、帯板状に形成されている。主アーム２２は、長手方向一端（弾性アーム２１の一端部に相当する）２２ａがサーミスタ本体２０の一端部に連なり、他端が前記一端２２ａよりもサーミスタ本体２０から離れた側に配されて自由端となっている。一対の弾性アーム２１の主アーム２２同士は、前記一端２２ａから前記他端にいくにしたがって徐々に互いの間の間隔を広げるように設けられている。
【００３９】
連結アーム２３は、帯板状に形成され、主アーム２２の略半分の長さに形成されている。連結アーム２３は、主アーム２２同士の互いに離れた表面に連なっている。連結アーム２３は、長手方向一端が主アーム２２の長手方向中央に連なり、他端が前記一端よりもサーミスタ本体２０寄りに配されて係止アーム２４に連なり、主アーム２２と係止アーム２４とを連結している。
【００４０】
係止アーム２４は、帯板状に形成され、連結アーム２３と略同じ長さに形成されている。係止アーム２４は、長手方向一端が連結アーム２３の前記他端に連なり、他端（弾性アーム２１の他端部に相当する）２４ａが前記一端よりもサーミスタ本体２０から離れた側に配されて自由端となっている。係止アーム２４の他端２４ａは、主アーム２２の他端よりもサーミスタ本体２０寄りに配されている。係止アーム２４の他端２４ａは、サーミスタ温度計２がプレート５に取り付けられると、突部５７のサーミスタ取付部５３Ａの奥側の表面５７ｂ、即ち傾斜面５９と係合する。
【００４１】
前述した弾性アーム２１は、主アーム２２の前記他端同士が互いに接離するように、また、連結アーム２３の前記他端が主アーム２２に接離するように、さらに、係止アーム２４の他端２４ａが連結アーム２３に接離するように、弾性変形自在に設けられている。
【００４２】
前述した構成のサーミスタ温度計２は、図４に示す状態から矢印Ｘに沿って、サーミスタ本体２０の弾性アーム２１から離れた他端部側からサーミスタ取付部５３Ａ内に挿入される。すると、一対の弾性アーム２１は、係止アーム２４がそれぞれ突部５７に当接し（図５）、主として係止アーム２４の他端２４ａが連結アーム２３に近づくように弾性変形して突部５７を乗り越える。
【００４３】
その後、一対の弾性アーム２１は、弾性変形していない中立状態に弾性復帰し、係止アーム２４の他端２４ａが突部５７の傾斜面５９と係合する。サーミスタ本体２０は、一対の支持柱５６間に支持される。こうして、サーミスタ温度計２は、サーミスタ取付部５３Ａに取り付けられて、プレート５に取り付けられる。プレート５に取り付けられたサーミスタ温度計２は、サーミスタ本体２０の他端部が孔５４を通って一対の支持柱５６間からプレート５の下面側に突出する。
【００４４】
そして、本実施形態において、サーミスタ温度計２は、予め電池集合体４０に取り付けられたプレート５に取り付けられる。プレート５に取り付けられたサーミスタ温度計２の前述した先端面２０ａは、電池本体４２の上面４２ａよりも電池本体４２の内側（サーミスタ取付部５３Ａの奥側）に配されるようになっている（図６中、点線で示す）。なお、これは、サーミスタ温度計２の形状やサーミスタ取付部５３Ａの形状を適宜調整することで可能である。
【００４５】
このため、サーミスタ温度計２は、電池集合体４０に取り付けられたプレート５に取り付けられると、先端面２０ａが温度測定の対象となる電池４１の電池本体４２の上面４２ａに押し付けられ、サーミスタ本体２０がプレート５に向かって（サーミスタ取付部５３Ａの奥側から入り口側に向かって）押し戻される（図６中、実線で示す）。
【００４６】
すると、弾性アーム２１は、主として係止アーム２４の他端２４ａが連結アーム２３から離れるように弾性変形する。このとき、係止アーム２４の他端２４ａが、突部５７の傾斜面５９上を矢印Ｍ１方向に摺動して、サーミスタ取付部５３Ａの内側から外側に向かって、かつ、サーミスタ取付部５３Ａの奥側から入口側に向かって移動する。そして、弾性アーム２１は、弾性復元力によってサーミスタ本体２０をサーミスタ取付部５３Ａの入口側から奥側に向かって付勢し、電池４１に向かって付勢する。
【００４７】
そして、サーミスタ温度計２は、サーミスタ本体２０の先端面２０ａが電池本体４２の上面４２ａに常時接触した状態となり、サーミスタが電池４１の温度に応じた情報を常時検出して、検出した情報を制御装置に向けて出力する。
【００４８】
冷却装置は、電池集合体４０を冷却可能である。制御装置は、サーミスタ温度計２と冷却装置と接続されている。制御装置は、サーミスタ温度計２が検出した電池４１の温度に基づいて冷却装置を制御して、電池集合体４０を冷却したり、前記冷却を停止したりする。制御装置は、サーミスタ温度計２が検出した電池４１の温度に基づいて、冷却装置等を制御して、電池集合体４０を適切な温度に保つ。
【００４９】
前述した構成の電源装置４を組み立てるには、まず、一方向Ｈに沿って並べられた複数の電池４１を一対のエンドプレート４５の間に挟み、複数の電池４１とエンドプレート４５とを前述のように固定バンド４６で一体化して、電池集合体４０を組み立てておく。また、プレート５のバスバ取付部５２にバスバ４７を取り付けておく。
【００５０】
次いで、プレート５の下面と電池集合体４０の上面とを相対させ、プレート５を電池集合体４０に近づけていく。そして、互いに連通したプレート５の電極通し孔及びバスバ４７の孔内に、電池集合体４０の各電池４１の正極４３と負極４４とをそれぞれ挿入し、プレート５を電池集合体４０に取り付ける。
【００５１】
そして、前述のように、電池集合体４０に取り付けられたプレート５のサーミスタ取付部５３Ａに、サーミスタ温度計２のサーミスタ本体２０を矢印Ｘに沿って挿入していく。すると、係止アーム２４の他端２４ａが突部５７の傾斜面５９と係合して、プレート５にサーミスタ温度計２が取り付けられる。このとき、サーミスタ本体２０の先端面２０ａが電池本体４２の上面４２ａに押し付けられるので、サーミスタ本体２０はプレート５に向かって押し戻される。
【００５２】
すると、弾性アーム２１は、主として係止アーム２４の他端２４ａが連結アーム２３から離れるように弾性変形し、係止アーム２４の他端２４ａが突部５７の傾斜面５９上を矢印Ｍ１方向に移動する。その後、弾性アーム２１は、弾性復元力によってサーミスタ本体２０をサーミスタ取付部５３Ａの入口側から奥側に向かって付勢する。サーミスタ温度計２は、電池本体４２の上面４２ａに常時接触した状態となり、電池４１の温度に応じた情報を常時検出する。こうして、電源装置４が組み立てられる。
【００５３】
本実施形態によれば、係止アーム２４の他端２４ａは、サーミスタ本体２０をサーミスタ取付部５３Ａの奥側に向かって付勢する際に突部５７の傾斜面５９上を矢印Ｍ１方向に摺動して、サーミスタ取付部５３Ａの内側から外側に向かってかつ奥側から入口側に向かって移動するので、図８に示す従来例よりもサーミスタ取付部５３Ａの入口側に位置付けられる。このため、弾性アーム２１の変形度合いが緩和される。したがって、弾性アーム２１の過大変形を防止でき、弾性アーム２１に作用する応力が小さくなって弾性アーム２１の破損を防止できる。
【００５４】
前述した実施形態においては、電子機器としてサーミスタ温度計２を電源装置４のプレート５に取り付けたが、電子機器はサーミスタ温度計２以外の電子機器であってもよいし、プレートは電源装置４のプレート５以外のプレートであってもよい。また、前述した第１の実施形態においては、傾斜面５９が平坦に形成されていたが、傾斜面５９は湾曲していてもよい。
【００５５】
また、前述した実施形態においては、予め電池集合体４０に取り付けられたプレート５にサーミスタ温度計２を取り付けていた。しかしながら、予めプレート５にサーミスタ温度計２を取り付け、このプレート５を電池集合体４０に取り付けてもよい。
【００５６】
次に、本発明の第２の実施形態にかかる電子機器の取付構造１Ｂを、図７を参照して説明する。なお、前述した第１の実施形態と同一構成部分には、同一符号を付して説明を省略する。
【００５７】
本発明の第２の実施形態にかかる電子機器の取付構造１Ｂは、サーミスタ温度計２をサーミスタ取付部５３Ｂに取り付ける構造である。サーミスタ取付部５３Ｂとサーミスタ温度計２とは、電子機器の取付構造１Ｂを構成している。
【００５８】
サーミスタ取付部５３Ｂは、第１の実施形態のサーミスタ取付部５３Ａと比較すると、図７に示すように、突部５７の表面５７ｂの形状のみが異なる。突部５７の表面５７ｂは、段状に形成されている。突部５７の表面５７ｂには、図７に示すように、第１平坦面（平坦面に相当する）６１と、第１平坦面６１に連なる傾斜面６２と、傾斜面６２に連なる第２平坦面６３とが形成されている。
【００５９】
第１平坦面６１は、突部５７の表面５７ｂのうちサーミスタ取付部５３Ｂの最も外側寄りに形成されている。第１平坦面６１は、プレート５に取り付けられたサーミスタ温度計２の弾性アーム２１と係合する部分に形成されている。第１平坦面６１は、サーミスタ温度計２の取付方向Ｘに対して直交（交差）する方向に沿って平坦に形成されている。
【００６０】
傾斜面６２は、第１平坦面６１のサーミスタ取付部５３Ｂの内側寄りの縁に連なっている。即ち、第１平坦面６１は、傾斜面６２のサーミスタ取付部５３Ｂの外側寄りの縁に連なっている。傾斜面６２は、プレート５に取り付けられたサーミスタ温度計２の弾性アーム２１と係合する部分に形成されている。傾斜面６２は、サーミスタ取付部５３Ｂの内側にいくにしたがって徐々にサーミスタ取付部５３Ｂの奥側に近づくように傾斜している。
【００６１】
第２平坦面６３は、傾斜面６２のサーミスタ取付部５３Ｂの内側寄りの縁に連なり、サーミスタ温度計２の取付方向Ｘに対して直交（交差）する方向に沿って平坦に形成され、第１平坦面６１と平行に形成されている。第２平坦面６３は、第１平坦面６１よりもサーミスタ取付部５３Ｂの奥側に形成されている。
【００６２】
本実施形態においては、前述した第１の実施形態と同様、サーミスタ温度計２がサーミスタ取付部５３Ｂに取り付けられると、係止アーム２４の他端２４ａが突部５７の傾斜面６２と係合する。そして、サーミスタ本体２０がプレート５に向かって押し戻されると、まず、係止アーム２４の他端２４ａは、突部５７の傾斜面６２上を矢印Ｍ２に摺動して、サーミスタ取付部５３Ｂの内側から外側に向かってかつ奥側から入口側に向かって移動する。
【００６３】
このため、係止アーム２４の他端２４ａは図８に示す従来例よりもサーミスタ取付部５３Ｂの入口側に位置付けられ、弾性アーム２１の変形度合いが緩和される。したがって、弾性アーム２１の過大変形を防止でき、弾性アーム２１に作用する応力が小さくなって弾性アーム２１の破損を防止できる。
【００６４】
その後、係止アーム２４の他端２４ａは、傾斜面６２上を摺動した後に第１平坦面６１上を摺動する。このため、係止アーム２４の他端２４ａは、サーミスタ取付部５３Ｂの入口側に行き過ぎることがない。したがって、弾性アーム２１の変形が過度に緩和されることがなく、サーミスタ本体２０を確実に付勢できる。
【００６５】
なお、前述した実施形態は本発明の代表的な形態を示したに過ぎず、本発明は、前述した実施形態に限定されるものではない。即ち、本発明の骨子を逸脱しない範囲で種々変形して実施することができる。
【符号の説明】
【００６６】
１Ａ、１Ｂ    電子機器の取付構造
２    サーミスタ温度計（電子機器）
５    プレート
２０    サーミスタ本体（機器本体）
２１    弾性アーム
２２ａ    主アームの一端（弾性アームの一端部）
２４ａ    係止アームの他端（弾性アームの他端部）
５３Ａ、５３Ｂ    サーミスタ取付部（取付部）
５４    孔
５５ａ、５５ｂ、５５ｃ、５５ｄ    立設壁
５７    突部
５７ｂ    表面
５９、６２    傾斜面
６１    第１平坦面（平坦面）
Ｘ    サーミスタ温度計の取付方向
【図１】
2011018454.tif 000003
【図２】
2011018454.tif 000004
【図３】
2011018454.tif 000005
【図４】
2011018454.tif 000006
【図５】
2011018454.tif 000007
【図６】
2011018454.tif 000008
【図７】
2011018454.tif 000009
【図８】
2011018454.tif 000010